(57)【要約】【課題】  良好な階調分布の画像を得る。【解決手段】  各種シーンモードに対する露出制御パターンと階調分布補正パターンとを記憶しておき、操作部材によりシーンモードが設定されると、設定されたシーンモードに対応する露出制御パターンを読み出し、その露出制御パターンにより撮像時の露出を制御するとともに、設定されたシーンモードに対応する階調分布補正パターンを読み出し、その階調分布補正パターンにより撮像画像の階調分布を補正する。【選択図】  図８
2006166320.tif 000002
【特許請求の範囲】
【請求項１】
被写体像を撮像する撮像手段と、
前記撮像手段による撮像時の露出を制御する露出制御手段と、
前記撮像手段により撮像した画像の階調分布を補正する階調分布補正手段と、
撮影者がシーンモードを設定するための操作部材とを備えた階調分布補正機能付きディジタルカメラにおいて、
各種シーンモードに対する露出制御パターンと階調分布補正パターンとを記憶する記憶手段を備え、
前記操作部材によりシーンモードが設定されると、前記露出制御手段は、設定されたシーンモードに対応する露出制御パターンを前記記憶手段から読み出し、その露出制御パターンにより撮像時の露出を制御するとともに、前記階調分布補正手段は、設定されたシーンモードに対応する階調分布補正パターンを前記記憶手段から読み出し、その階調分布補正パターンにより前記撮像手段により撮像した画像の階調分布を補正することを特徴とする階調分布補正機能付きディジタルカメラ。
【請求項２】
請求項１に記載の階調分布補正機能付きディジタルカメラにおいて、
前記露出制御パターンは、撮像した画像に対して撮影シーンに応じた階調分布補正を行うために、その撮影シーンで重要な輝度情報を収集可能な露出制御パターンであることを特徴とする階調分布補正機能付きディジタルカメラ。
【請求項３】
請求項１または請求項２に記載の階調分布補正機能付きディジタルカメラにおいて、
撮影光学系の焦点調節を自動で行う自動焦点調節手段を備え、
前記記憶手段は、各種シーンモードと被写体距離に対する階調分布補正パターンを記憶し、
前記操作部材によりシーンモードが設定されると、前記階調分布補正手段は、設定されたシーンモードと前記自動焦点調節手段による焦点調節結果の被写体距離とに対応する階調分布補正パターンを前記記憶手段から読み出し、その階調分布補正パターンにより前記撮像手段により撮像した画像の階調分布を補正することを特徴とする階調分布補正機能付きディジタルカメラ。
【請求項４】
請求項１または請求項２に記載の階調分布補正機能付きディジタルカメラにおいて、
ストロボの発光を制御する発光制御手段を備え、
前記記憶手段は、各種シーンモードとストロボ発光の有無に対する階調分布補正パターンを記憶し、
前記操作部材によりシーンモードが設定されると、前記階調分布補正手段は、設定されたシーンモードと前記発光制御手段によるストロボ発光の有無とに対応する階調分布補正パターンを前記記憶手段から読み出し、その階調分布補正パターンにより前記撮像手段により撮像した画像の階調分布を補正することを特徴とする階調分布補正機能付きディジタルカメラ。
【請求項５】
被写体像を撮像する撮像手段と、
前記撮像手段により撮像した画像の階調分布を補正する階調分布補正手段と、
撮影光学系の焦点調節を自動で行う自動焦点調節手段と、
撮影者がシーンモードを設定するための操作部材とを備えた階調分布補正機能付きディジタルカメラにおいて、
各種シーンモードと被写体距離に対する階調分布補正パターンを記憶する記憶手段を備え、
前記操作部材によりシーンモードが設定されると、前記階調分布補正手段は、設定されたシーンモードと前記自動焦点調節手段による焦点調節結果の被写体距離とに対応する階調分布補正パターンを前記記憶手段から読み出し、その階調分布補正パターンにより前記撮像手段により撮像した画像の階調分布を補正することを特徴とする階調分布補正機能付きディジタルカメラ。
【請求項６】
請求項１〜５のいずれかの項に記載の階調分布補正機能付きディジタルカメラにおいて、
前記階調分布補正パターンには、ダイナミックレンジ全体に平均的に階調を分散させる自動パターンと、原画像の暗部のみに重点をおいて階調を割り当てる低輝度優先パターンと、原画像の中間輝度部のみに重点をおいて階調を割り当てる中間輝度優先パターンと、原画像の明部のみに重点をおいて階調を割り当てる高輝度優先パターンとが含まれることを特徴とする階調分布補正機能付きディジタルカメラ。
【請求項７】
請求項１〜５のいずれかの項に記載の階調分布補正機能付きディジタルカメラにおいて、
前記露出制御パターンには、原画像の高輝度部分に重みをおいて露出を合わせるアンダーパターンと、原画像の低輝度部分に重みをおいて露出を合わせるオーバーパターンとが含まれることを特徴とする階調分布補正機能付きディジタルカメラ。
【発明の詳細な説明】
【技術分野】
【０００１】
本発明は、階調分布補正機能付きディジタルカメラに関する。
【背景技術】
【０００２】
フィルムに撮影可能な画像の濃度範囲（最低濃度と最高濃度の差でダイナミックレンジという）はプリントで再現されるダイナミックレンジよりも広いため、例えば逆光シーンやストロボ撮影では、プリントで再現可能なダイナミックレンジを大きく超えた画像がフィルムに撮影される場合がある。このような場合には、フィルム上の全ダイナミックレンジの画像をプリント上に再現することができないため、プリントのダイナミックレンジを超えるフィルム画像の高濃度部、すなわち被写体の明部はプリント上で白く飛んでしまい、逆に、プリントのダイナミックレンジを超えるフィルム画像の低濃度部、すなわち被写体の暗部はプリント上で黒くつぶれてしまう。
【０００３】
そこで、フィルム画像をプリント上に再現するために、中間濃度部の階調を変化させずに明部および暗部の濃度を調節し、フィルム画像のダイナミックレンジを圧縮するようにした画像処理装置が知られている（例えば、特許文献１参照）。
【０００４】
この出願の発明に関連する先行技術文献としては次のものがある。
【特許文献１】特開平１１−１９１８７１号公報
【発明の開示】
【発明が解決しようとする課題】
【０００５】
ところで、ディジタルカメラはＣＣＤなどの撮像素子を用いて撮像を行うが、撮像素子で撮像できる画像のダイナミックレンジは人間の目よりも狭く、またフィルムよりも狭い。このため、輝度差のあるシーンでは撮影者の目で階調変化が感じられる場合でも、ディジタルカメラで撮像すると、上述したフィルム画像をプリントする場合と同様に高輝度部が白飛びし、低輝度部が黒つぶれする。
【０００６】
しかし、上述した従来の画像処理装置では、原画像の黒つぶれと白とびを補正するために暗部と明部の濃度を調節しているだけであり、様々な撮影条件で撮影された原画像から撮影者が原シーンを見たときの印象に近い画像を再現することは困難である。
【課題を解決するための手段】
【０００７】
（１）  請求項１の発明は、各種シーンモードに対する露出制御パターンと階調分布補正パターンとを記憶しておき、操作部材によりシーンモードが設定されると、設定されたシーンモードに対応する露出制御パターンを読み出し、その露出制御パターンにより撮像時の露出を制御するとともに、設定されたシーンモードに対応する階調分布補正パターンを読み出し、その階調分布補正パターンにより撮像画像の階調分布を補正する。
（２）  請求項２の階調分布補正機能付きディジタルカメラは、露出制御パターンを、撮像した画像に対して撮影シーンに応じた階調分布補正を行うために、その撮影シーンで重要な輝度情報を収集可能な露出制御パターンとしたものである。
（３）  請求項３の階調分布補正機能付きディジタルカメラは、各種シーンモードと被写体距離に対する階調分布補正パターンを記憶しておき、操作部材によりシーンモードが設定されると、設定されたシーンモードと焦点調節結果の被写体距離とに対応する階調分布補正パターンを読み出し、その階調分布補正パターンにより撮像画像の階調分布を補正するようにしたものである。
（４）  請求項４の階調分布補正機能付きディジタルカメラは、各種シーンモードとストロボ発光の有無に対する階調分布補正パターンを記憶しておき、操作部材によりシーンモードが設定されると、設定されたシーンモードとストロボ発光の有無とに対応する階調分布補正パターンを読み出し、その階調分布補正パターンにより撮像画像の階調分布を補正するようにしたものである。
（５）  請求項５の発明は、各種シーンモードと被写体距離に対する階調分布補正パターンを記憶しておき、操作部材によりシーンモードが設定されると、設定されたシーンモードと焦点調節結果の被写体距離とに対応する階調分布補正パターンを読み出し、その階調分布補正パターンにより撮像画像の階調分布を補正する。
（６）  請求項６の階調分布補正機能付きディジタルカメラの階調分布補正パターンには、ダイナミックレンジ全体に平均的に階調を分散させる自動パターンと、原画像の暗部のみに重点をおいて階調を割り当てる低輝度優先パターンと、原画像の中間輝度部のみに重点をおいて階調を割り当てる中間輝度優先パターンと、原画像の明部のみに重点をおいて階調を割り当てる高輝度優先パターンとが含まれる。
（７）  請求項７の階調分布補正機能付きディジタルカメラの露出制御パターンには、原画像の高輝度部分に重みをおいて露出を合わせるアンダーパターンと、原画像の低輝度部分に重みをおいて露出を合わせるオーバーパターンとが含まれる。
【発明の効果】
【０００８】
本発明によれば、原シーンの重要な輝度範囲の画質の低下を抑制しながら、撮影者が原シーンを見たときの印象に近い画像を再現することができる。
【発明を実施するための最良の形態】
【０００９】
図１は一実施の形態の階調分布補正機能付きディジタルカメラの構成を示す。露出制御部１００のレンズ光学系（撮影光学系）１０１は被写体からの光を撮像素子１０２上へ導き、撮像素子１０２上に被写体像を結像する。撮像素子１０２は被写体像をその輝度分布に応じた電気信号に変換し、画像信号を出力する。Ａ／Ｄ変換器１０３は撮像素子１０２から出力される画像信号をデジタル画像データに変換し、メモリ１０４はデジタル画像データを記憶する。
【００１０】
画像処理部１０５はＣＰＵやメモリ（不図示）などから構成され、マイクロコンピューターのソフトウエア形態、もしくは専用ＬＳＩにより実現されるＤＲＣ（Dynamic Range Compression；階調分布補正またはダイナミックレンジ圧縮）処理部１０６を備え、撮像素子１０２により撮像した画像に各種処理を施す。ＤＲＣ処理部１０６では撮像画像の階調分布を補正し、画像処理部１０５では階調分布補正以外の画像処理、例えばホワイトバランス調整、γ変換、画素補間、色変換などを行う。
【００１１】
撮影設定切り替え装置１０７はユーザーが撮影に関する各種設定を行う操作部材である。この一実施の形態のディジタルカメラでは、撮影設定切り替え装置１０７により表１に示す撮影設定の他に、表２に示すシーンモードを設定することができる。
【表１】
2006166320.tif 000003
【表２】
2006166320.tif 000004
表１の撮影設定の内、“ＡＥブラケット”は絞り値を段階的に変えながら複数駒を連続撮影するモードである。また、“ＡＷＢブラケット”はホワイトバランス値を段階的に変えながら複数駒を連続撮影するモードである。
【００１２】
この明細書では、表１に示す撮影設定および表２に示すシーンモード設定の内、撮影設定切り替え装置１０７によりユーザーが設定した項目を“設定値”と呼ぶ。
【００１３】
ユーザーがシーンモードを設定すると、撮影に関する設定や露出などの制御がシーンモードごとに予め設定されている値に自動的に設定される。例えば、ポートレートモードを設定すると、人物撮影に適した撮影設定や露出などの制御値がカメラに自動的に設定される。撮影設定部１０８は撮影設定切り替え装置１０７によりユーザーが設定した設定値を検出し、記憶する。
【００１４】
画像記録素子１０９は画像処理後の画像データを記録し、表示部１１０は画像を表示する。ＡＦ（Auto Focusing;自動焦点調節）部１１１はレンズ光学系１０１の焦点調節を自動で行う。ストロボ発光部１１２は、被写体の輝度や距離に応じてストロボ発光の要否、およびストロボ発光“要”の場合はストロボ発光時間を決定し、ストロボの発光を制御する。制御部１１３はＣＰＵやメモリ（不図示）などから構成され、カメラの露出制御、オートフォーカス（ＡＦ）制御、ストロボ制御、シーケンス制御などを行う。
【００１５】
ここで、一実施の形態の階調分布補正のための露出制御について説明する。撮像素子１０２により撮像した画像データの情報量が少ない場合には、撮像画像の階調分布を補正して適正化を図っても、撮影者が原シーンを見たときの印象に近い画像を再現することができない場合がある。従来のディジタルカメラでは撮影シーンに適した露出制御を行っていたが、この一実施の形態では、撮影シーンに応じた階調分布補正を行うために、階調分布補正による効果が最大となる露出制御を行う。つまり、あるシーンを撮影する場合に、その撮影シーンで重要な輝度部分の階調分布情報がより多く得られるような露出制御を行う。この場合、従来のカメラの露出制御と異なり、階調分布補正を行う前の画像が露出アンダーまたは露出オーバーになっても構わない。
【００１６】
表３は一実施の形態の露出制御パターンを示す。
【表３】
2006166320.tif 000005
露出制御パターンをアンダーとした場合には、そのままでは露出不足となってしまい、画像としては好ましくないが、被写体の高輝度部分の階調分布情報を多めに検出できる可能性が高く、反面、被写体の低輝度部分の階調分布情報は欠落しやすい。換言すれば、被写体の明るい部分は白飛びしないように制御できるが、被写体の暗い部分は黒つぶれする。逆に、露出制御パターンをオーバーとした場合には、被写体の低輝度部分の階調分布情報を多めに検出できる可能性が高く、反面、被写体の高輝度部分の階調分布情報は欠落しやすい。換言すれば、被写体の暗い部分は黒つぶれしないように制御できるが、被写体の明るい部分は白飛びする。
【００１７】
この一実施の形態では、撮像した画像に対して撮影シーンに応じた階調分布補正を効果的に行うために、その撮影シーンで重要な輝度情報をより多く収集可能な露出制御を行うことによって、撮影者が原シーンを見たときの印象に近い画像を再現する。例えば、夕焼けを撮影するシーンにおいて、夕焼けの空の部分の階調は逆光により暗くなっている部分の階調よりも重要度が高い。そこで、この一実施の形態の露出制御では、夕焼けシーンに応じた階調分布補正を行うために、夕焼けシーンで重要な空の部分に重みをおいて露出を合わせ、撮影を行う。このようにして撮像した画像は、逆光部分が黒つぶれし、全体的に暗めになって露出アンダーとなる。この画像に対して空の部分すなわち明部に重点をおいて階調を割り当てるように階調分布補正を行うと、撮影者が見た夕焼けシーンに近い画像を再現することができる。
【００１８】
表４は一実施の形態の階調分布補正（ＤＲＣ）パターンを示す。
【表４】
2006166320.tif 000006
【００１９】
今、図２に示すような階調分布の原画像に対して各パターンの階調分布補正を施した場合の結果を図３〜図７に示す。なお、図２〜図７に示す輝度ヒストグラムにおいて、横軸は輝度、縦軸は頻度を表す。“ＯＦＦ”パターンでは階調分布補正を行わないので、図３に示す補正後の階調分布は図２に示す原画像の階調分布と同じである。“自動”パターンでは原画像の階調を解析して図４に示すようにダイナミックレンジ全体に平均的に階調を分散する。“低輝度優先”パターンでは図５に示すように原画像の暗部の階調を優先して階調領域を割り当てる。また、“中間輝度優先”パターンでは図６に示すように原画像の中間輝度部の階調を優先して階調領域を割り当てる。さらに、“高輝度優先”パターンでは図７に示すように原画像の明部の階調を優先して階調領域を割り当てる。
【００２０】
この一実施の形態では、上述したように撮影設定（表１参照）とシーンモード設定（表２参照）の“設定値”に応じて階調分布補正パターン（表４参照）を設定する以外に、カメラの各種制御情報に基づいて階調分布補正パターンを設定する。カメラの制御情報には、表５に示すように、オートフォーカス制御を実行した結果の被写体距離や、測光値やシャッター速度などに基づいてカメラが決定したストロボ発光の有無などがある。
【表５】
2006166320.tif 000007
【００２１】
この明細書では、カメラが各種制御および演算を行って設定した値を“制御値”と呼び、撮影設定切り替え装置１０７によりユーザーが設定した“設定値”と区別する。
【００２２】
表６は、ユーザーが撮影設定切り替え装置１０７により設定した“設定値”に対する階調分布補正パターンを示す。
【表６】
2006166320.tif 000008
連写撮影モードが設定された場合には、階調分布補正を“ＯＦＦ”にするか、または１枚目の階調分布補正パターンで２枚目以降も階調分布補正を行う。動画、露出補正・調光補正、ＡＥブラケットおよびＡＷＢブラケットによる撮影モードが設定された場合には階調分布補正を“ＯＦＦ”にする。ストロボ撮影モードが設定された場合には、カメラのオートフォーカス制御結果の“制御値”に応じて階調分布補正パターンを設定する。すなわち、被写体が近距離の場合は“自動”パターンを設定し、被写体が遠距離の場合は“低輝度優先”パターンを設定する。
【００２３】
表７は、ユーザーが撮影設定切り替え装置１０７により設定したシーンモードの“設定値”に対する露出制御パターンと階調分布補正パターンを示す。
【表７】
2006166320.tif 000009
この一実施の形態では、撮像した画像に対して撮影シーンに応じた階調分布補正を効果的に行うために、その撮影シーンで重要な輝度情報をより多く収集可能な露出制御を行う。夜景ポートレート、ミュージアム、逆光および水中撮影以外のシーンモードが設定された場合には、シーンモード“設定値”に応じて階調分布補正パターンを設定する。一方、夜景ポートレート、ミュージアム、逆光および水中撮影のシーンモードが設定された場合には、シーンモード“設定値”とカメラの“制御値”（被写体距離、ストロボ発光の有無）に応じて階調分布補正パターンを設定する。
【００２４】
図８は、一実施の形態のディジタルカメラの撮像処理を示すフローチャートである。なお、図８に示すフローチャートでは本願発明と直接、関係のない撮像処理についての図示と説明を省略する。一実施の形態のディジタルカメラにおいてシャッターがレリーズされると、制御部１１３のＣＰＵは図８に示す撮像処理を開始する。
【００２５】
ステップ１においてシーンモードが設定されているか否かを確認し、シーンモードが設定されていない場合はステップ２へ進み、通常撮影の露出制御を設定する。この通常制御の露出制御については従来のディジタルカメラと同様であり、説明を省略する。シーンモードが設定されている場合はステップ３へ進み、制御部１１３のメモリに記憶されている表６〜７のテーブルからシーンモード“設定値”に応じた露出制御パターンを読み出し、カメラに設定する。ステップ４において設定された通常撮影の露出制御値、またはシーンモード“設定値”に応じた露出制御パターンで画像を撮像する。
【００２６】
ステップ５では画像処理部１０５により階調分布補正以外の画像処理、すなわちホワイトバランス調整、γ変換、画素補間、色変換などを行う。続くステップ６においてシーンモードが設定されているか否かを確認し、シーンモードが設定されている場合はステップ７へ進む。ステップ７ではメモリの表７に示すテーブルからシーンモード“設定値”に応じた階調分布補正パターンを読み出し、そのパターンによりＤＲＣ処理部１０６で階調分布補正を行う。その後ステップ１０へ進み、画像処理および階調分布補正後の画像を表示部１１０に表示するとともに、画像記録素子１０９へ記録する。
【００２７】
シーンモードが設定されていない場合はステップ８へ進み、表６に示すいずれかの撮影設定がなされているか否かを確認する。撮影設定がなされている場合はステップ９へ進み、メモリの表６に示すテーブルから撮影“設定値”に応じた階調分布補正パターンを読み出し、そのパターンによりＤＲＣ処理部１０６で階調分布補正を行う。なお、ストロボ撮影が設定されている場合は、カメラの“制御値”すなわちオートフォーカス制御結果の被写体距離に応じた階調分布補正パターンを選択する。その後ステップ１０へ進み、画像処理および階調分布補正後の画像を表示部１１０に表示するとともに、画像記録素子１０９へ記録する。
【００２８】
一方、シーンモード設定も撮影設定もなされていない場合は階調分布補正を行わず、ステップ１０へ進んで画像処理後の画像を表示部１１０に表示するとともに、画像記録素子１０９へ記録する。
【００２９】
このように、一実施の形態では、被写体像を撮像する撮像素子１０２と、撮像素子１０２による撮像時の露出を制御する露出制御部１００と、撮像素子１０２により撮像した画像の階調分布を補正するＤＲＣ処理部１０６と、撮影者がシーンモードを設定するための撮影設定切り替え装置１０７と、各種シーンモードに対する露出制御パターンと階調分布補正パターンとを記憶する制御部１１３のメモリ（不図示）とを備え、撮影設定切り替え装置１０７によりシーンモードが設定されると、露出制御部１００は、設定されたシーンモードに対応する露出制御パターンを制御部１１３のメモリから読み出し、その露出制御パターンにより撮像時の露出を制御するとともに、ＤＲＣ処理部１０６は、設定されたシーンモードに対応する階調分布補正パターンを制御部１１３のメモリから読み出し、その階調分布補正パターンにより撮像素子１０２により撮像した画像の階調分布を補正するようにした。これにより、原シーンの重要な輝度範囲の画質の低下を抑制しながら、撮影者が原シーンを見たときの印象に近い画像を再現することができる。
【００３０】
また、一実施の形態の露出制御パターンは、撮像した画像（原画像）に対して撮影シーンに応じた階調分布補正を行うために、その撮影シーンで重要な輝度情報を収集可能な露出制御パターンとした。
階調分布補正は擬似的に画像のダイナミックレンジが広くなったように見せる技術である。したがって、階調分布補正によって階調バランスは良好になっても画質が低下して好ましくないことがある。これは、階調分布補正が少ない輝度情報から擬似的に情報量を多くしているためである。つまり、良好な階調バランスと画質低下の防止とはトレードオフの関係にある。この一実施の形態では、撮像した画像（原画像）に対して撮影シーンに応じた階調分布補正を行うために、その撮影シーンで重要な輝度情報を収集可能な露出制御パターンとしたので、原シーンの重要な輝度範囲の画質の低下を抑制しながら、良好な階調分布の画像を得ることができる。
【００３１】
さらに、一実施の形態では、レンズ光学系１０１の焦点調節を自動で行うＡＦ部１１１を備えるとともに、制御部１１３のメモリに各種シーンモードと被写体距離に対する階調分布補正パターンを記憶し、撮影設定切り替え装置１０７によりシーンモードが設定されると、ＤＲＣ処理部１０６によって、設定されたシーンモードとＡＦ部１１１による焦点調節結果の被写体距離とに対応する階調分布補正パターンを制御部１１３のメモリから読み出し、その階調分布補正パターンにより撮像素子１０２により撮像した画像の階調分布を補正するようにした。これにより、被写体距離に応じた良好な階調分布の画像を得ることができる。
【００３２】
さらにまた、一実施の形態では、ストロボの発光を制御するストロボ発光部１１２を備えるとともに、制御部１１３のメモリに各種シーンモードとストロボ発光の有無に対する階調分布補正パターンを記憶し、撮影設定切り替え装置１０７によりシーンモードが設定されると、ＤＲＣ処理部１０６によって、設定されたシーンモードと発光制御部１１２によるストロボ発光の有無とに対応する階調分布補正パターンを制御部１１３のメモリから読み出し、その階調分布補正パターンにより撮像素子１０２により撮像した画像の階調分布を補正するようにした。これにより、ストロボ発光の有無に応じた良好な階調分布の画像を得ることができる。
【００３３】
一実施の形態では、被写体像を撮像する撮像素子１０２と、撮像素子１０２により撮像した画像の階調分布を補正するＤＲＣ処理部１０６と、レンズ光学系１０１の焦点調節を自動で行うＡＦ部１１１と、撮影者がシーンモードを設定するための撮影設定切り替え装置１０７と、各種シーンモードと被写体距離に対する階調分布補正パターンを記憶する制御部１１３のメモリとを備え、撮影設定切り替え装置１０７によりシーンモードが設定されると、ＤＲＣ処理部１０６によって、設定されたシーンモードとＡＦ部１１１による焦点調節結果の被写体距離とに対応する階調分布補正パターンを制御部１１３のメモリから読み出し、その階調分布補正パターンにより撮像素子１０２により撮像した画像の階調分布を補正するようにした。これにより、撮影シーンと被写体距離に応じた良好な階調分布の画像を得ることができる。
【００３４】
特許請求の範囲の構成要素と一実施の形態の構成要素との対応関係は次の通りである。すなわち、撮像素子１０２が撮像手段を、露出制御部１００が露出制御手段を、ＤＲＣ処理部１０６が階調分布補正手段を、撮影設定切り替え装置１０７が操作部材を、制御部１１３のメモリ（不図示）が記憶手段を、ＡＦ部１１１が自動焦点調節手段を、ストロボ発光部１１２が発光制御手段をそれぞれ構成する。なお、本発明の特徴的な機能を損なわない限り、各構成要素は上記構成に限定されるものではない。
【００３５】
上述した一実施の形態では、階調分布補正パターンとして、ダイナミックレンジ全体に平均的に階調を分散させる自動パターンと、原画像の暗部のみに重点をおいて階調を割り当てる低輝度優先パターンと、原画像の中間輝度部のみに重点をおいて階調を割り当てる中間輝度優先パターンと、原画像の明部のみに重点をおいて階調を割り当てる高輝度優先パターンとを例に上げて説明したが、階調分布補正パターンは上述した一実施の形態のパターンに限定されるものではない。
また、上述した一実施の形態では、露出制御パターンとして、原画像の高輝度部分に重みをおいて露出を合わせるアンダーパターンと、原画像の低輝度部分に重みをおいて露出を合わせるオーバーパターンとを例に上げて説明したが、露出制御パターンは上述した一実施の形態のパターンに限定されるものではない。
【図面の簡単な説明】
【００３６】
【図１】一実施の形態の構成を示す図である。
【図２】階調分布補正前の画像のヒストグラムを示す図である。
【図３】階調分布補正を行わない場合の画像のヒストグラムを示す図である。
【図４】“自動”パターンで階調分布補正を行った画像のヒストグラムを示す図である。
【図５】“低輝度優先”パターンで階調分布補正を行った画像のヒストグラムを示す図である。
【図６】“中間輝度優先”パターンで階調分布補正を行った画像のヒストグラムを示す図である。
【図７】“高輝度優先”パターンで階調分布補正を行った画像のヒストグラムを示す図である。
【図８】一実施の形態の撮像処理を示すフローチャートである。
【符号の説明】
【００３７】
１００  露出制御部
１０１  レンズ光学系
１０２  撮像素子
１０３  Ａ／Ｄ変換器
１０４  メモリ
１０５  画像処理部
１０６  ＤＲＣ処理部
１０７  撮影設定切り替え装置
１０８  撮影設定部
１０９  画像記録素子
１１０  表示部
１１１  ＡＦ部
１１２  ストロボ発光部
１１３  制御部
【図１】
2006166320.tif 000010
【図２】
2006166320.tif 000011
【図３】
2006166320.tif 000012
【図４】
2006166320.tif 000013
【図５】
2006166320.tif 000014
【図６】
2006166320.tif 000015
【図７】
2006166320.tif 000016
【図８】
2006166320.tif 000017